(57)【要約】【課題】  芳香剤の漏出がなく、かつ香気の持続性を向上させた芳香具を提供すること、また興趣に富む芳香具を提供すること。【解決手段】  粒状，塊状，小片のセラミック製多孔体に香料を保持させた芳香剤５をカイコの繭体１の内部に収容したことを主要特徴とし、必要に応じ繭体１に蓄光塗装や着色を施す。【選択図】図１
0003120723.tif 000002
【実用新案登録請求の範囲】
【請求項１】
粒状または塊状のセラミック製多孔体に香料を保持させた芳香剤をカイコの繭体内部に収容したことを特徴とする芳香具。
【請求項２】
セラミック製多孔体がケイ酸カルシウムからなる請求項１に記載の芳香具。
【請求項３】
セラミック製多孔体がバーミキュライトからなる請求項１に記載の芳香具。
【請求項４】
セラミック製多孔体がパーライトからなる請求項１に記載の芳香具。
【請求項５】
芳香剤が自重の５０％ないし７０％の香料を含有するセラミック製多孔体からなる請求項１ないし４のいずれか１に記載の芳香具。
【請求項６】
径が０．５ｍｍ〜５ｍｍの芳香剤を採択した請求項１ないし５のいずれか１に記載の芳香具。
【請求項７】
表面の一部または大部分に蓄光塗料を施した繭体を採択した請求項１ないし６のいずれか１に記載の芳香具。
【請求項８】
蓄光塗料により文字，図柄または模様等の表示を施した繭体を採択した請求項１ないし７のいずれか１に記載の芳香具。
【請求項９】
着色を施した繭体を採択した請求項７または８に記載の芳香具。
【考案の詳細な説明】
【技術分野】
【０００１】  本考案は、カイコの繭体内に芳香剤を収容した芳香具に関するものである。
【背景技術】
【０００２】  芳香具としては匂袋が古くから使われている。芳香剤をカイコの繭体内部に収容した芳香具も公知であり、繭体内部に粉末香料を封入したもの（特許文献１）、あるいは香料を含浸させた綿等を繭体内部に入れたもの（特許文献２）がある。
【特許文献１】    実開平５−８５３１０
【特許文献２】    実開昭６３−５６０３８
【考案の開示】
【考案が解決しようとする課題】
【０００３】  上記特許文献１に記載の封入香料は粉末であり、封入口の封止が不完全である場合には、粉末香料が漏出し易い欠点があり、また特許文献２に記載の香料は綿あるいは紙等に液体香料を含浸させたのであるから、香料の保持期間が著しく短く、従って頻繁に香料を補充する必要がある。そこで本考案の目的は、芳香剤の漏出がなく、かつ香気の持続性を向上させた芳香具を提供すること、並びに興趣に富む芳香具を提供することにある。
【課題を解決するための手段】
【０００４】  上記目的を達成するため、請求項１の考案は、粒状または塊状のセラミック製多孔体に香料を保持させた芳香剤をカイコの繭体内部に収容したことを特徴とする芳香具であり、請求項２の考案は、セラミック製多孔体がケイ酸カルシウムからなる請求項１記載の芳香具であり、請求項３の考案は、セラミック製多孔体がバーミキュライトからなる請求項１に記載の芳香具であり、請求項４の考案は、セラミック製多孔体がパーライトからなる請求項１に記載の芳香具である。【０００５】  請求項５の考案は、芳香剤が自重の５０％ないし７０％の香料を含有するセラミック製多孔体からなる請求項１ないし４のいずれか１に記載の芳香具であり、請求項６の考案は、径が０．５ｍｍ〜５ｍｍの芳香剤を採択した請求項１ないし５のいずれか１に記載の芳香具である。【０００６】  請求項７の考案は、表面の一部または大部分に蓄光塗料を施した繭体を採択した請求項１ないし６のいずれか１に記載の芳香具であり、請求項８の考案は、蓄光塗料により文字，図柄または模様等の表示を施した繭体を採択した請求項１ないし７のいずれか１に記載の芳香具であり、請求項９の考案は、着色を施した繭体を採択した請求項７または８に記載の芳香具である。
【考案の効果】
【０００７】  請求項１の考案によれば、香料を保持するセラミック製多孔体はそれ自体の材質が安定しているほか、吸液量が多く持続性が高いから、長期かつ安定的に香気の放出が可能であり、しかも繭体は繊維が緻密に集成されていることにより、繭体壁の内面から外面までの通気孔の道程が長く、通気性を有すると言えども香気の通過を抑制し、従って芳香剤の持続性と繭体による放出調整作用とが相俟って、長期にわたり安定的な香気の供給をを実現することができる。【０００８】  請求項２，請求項３，請求項４の考案によれば、セラミック製多孔体がそれぞれケイ酸カルシウム，バーミキュライト，パーライトからなり、これら三種は吸液量が多く、長期にわたり安定的な香気の供給が可能であり、また請求項５の考案によれば、ケイ酸カルシウムは自重の５０％ないし７０％の香料を含有するものが得られるから、更に長期間にわたり安定的な香気の供給を容易に実現することができる。【０００９】  請求項６の考案によれば、芳香剤として径が０．５ｍｍ〜５ｍｍのセラミック製多孔体を採択することにより、粉体とは異なり取扱いが便利であるほか、繭体の内部に収容した場合に、繭体における切込部分の間隙から漏出するおそれがない。【００１０】  請求項７の考案によれば、表面の一部または大部分に蓄光塗料を施した繭体を採択することにより、暗所において繭体が発光するから、幻想的雰囲気を醸し、あるいは興趣をそそる効果がある。また請求項８の考案によれば、繭体に蓄光塗料により文字または模様等の表示を施したから、暗所におけるメッセージの伝達あるいは癒し効果を発揮する。更に請求項９の考案によれば、請求項５および請求項６における効果を一層向上させる。
【考案を実施するための最良の形態】
【００１１】  以下、本考案の実施形態を図面に基づき詳細に説明する。【００１２】  繭体１としては、端部に切込２を入れてその蓋部３を開いて開口部４から内部の蛹を除去したカイコの繭を使用する。この繭体１は必要に応じ好みの色彩に染色もしくは着色し、更に繭体１の一部または大部分を蓄光塗料により塗装する。蓄光塗料による塗装については、文字，図柄，模様等であってもよい。【００１３】  繭体１の内部には、開口部４から粒径が０．５ｍｍ〜５ｍｍの粒状の芳香剤５を適量入れた後、蓋部３と開口部４とを接着剤により接着封止する。芳香剤５としては、粒状に成形したセラミック製多孔体に液体香料を含浸させたものを採択する。【００１４】  セラミック製多孔体としては、吸液量が多いケイ酸カルシウムが望ましく、種々の形態のケイ酸カルシウムの中でも、微小鱗片または微小薄片の集合状態のケイ酸カルシウムは自重の５０％ないし７０％の香料を含有させることができる関係上特に好ましい。ケイ酸カルシウム以外のセラミック製多孔体としては、バーミキュライトを採択し、あるいは真珠岩，松脂岩等を粉砕して焼成したパーライト等を採択することができ、バーミキュライト，パーライト両者共に連通気孔を有し吸液量が多い。【００１５】  芳香剤５の形状は造粒が容易な球状が望ましいが、これに限らず、円板状，棒状，フレーク状等の塊あるいは片でもよく、種々の形状を選択することことができ、大きさについても繭体１の内部に収容可能な範囲のものであればよい。セラミック製多孔体に液体香料を保持する方法としては、塗布，含浸，真空含浸等、適宜適用すればよい。
【図面の簡単な説明】
【００１６】
【図１】  本考案の一実施形態を示す一部破断側面図である。
【符号の説明】
【００１７】    １  繭体
２  切込
３  蓋部
４  開口部
５  芳香剤
【図１】
0003120723.tif 000003